(57)【要約】【課題】平角線のスロット導体部１１とロータ或はティース６の先端との絶縁を十分に図れ、スロット５の開口部に容易に磁性材１４を配置できるステータを提供する。【解決手段】前記スロット５の開口側に配置されるスロット導体部１１を、該スロット５に配置される前に、絶縁材１３ａにより覆う。この際、周囲を絶縁材１３ｂにより覆われた前記磁性材１４を、前記スロット導体部１１の片側面に配置した状態で、前記絶縁材１３ａにより該スロット導体部１１及び磁性材１４を覆う。これにより、該スロット導体部１１の絶縁を容易に図れると共に、該磁性材１４を該スロット導体部１１と一体に扱え、前記スロット５への配置が容易になる。【選択図】図３
2010226861.tif 000002
【特許請求の範囲】
【請求項１】
それぞれが略円筒状の周面に開口するように径方向に形成されたスロットを円周方向複数個所に有するステータコアと、コイルの巻線を構成し、前記各スロット内に、径方向に複数重ねた状態で配置される平角線と、を備えたステータにおいて、
前記各平角線のうち、少なくとも前記各スロットの最も開口側に位置する平角線が、その開口側側面に該平角線と絶縁した磁性材を配置した状態で、該磁性材と共に絶縁材により覆われていることを特徴とするステータ。
【請求項２】
前記各スロットの最も開口側に位置する平角線を含む平角線が、周囲を絶縁された前記磁性材と共に前記絶縁材により覆われている、請求項１に記載のステータ。
【請求項３】
前記各スロットの最も開口側に位置する平角線を含む平角線が絶縁材に覆われ、該絶縁材に覆われた平角線が、前記磁性材と共に更に前記絶縁材により覆われている、請求項１に記載のステータ。
【請求項４】
コイルの巻線を構成し、絶縁材に覆われた平角線の製造装置において、
片面に前記平角線の幅に対応した幅を有する溝を形成した固定治具と、
該平角線を該溝内に押し込むための押し治具と、
前記固定治具の片面に沿って、前記溝の幅方向両側から該溝上を交互に通るように変位する１対の変位治具と、を備え、
絶縁材を、前記固定治具の片面に前記溝を覆うように配置し、該絶縁材の該溝と反対側に前記平角線を配置し、前記押し治具により該平角線を該溝内に押し込むと共に、前記絶縁材の該平角線よりも幅方向両側に存在する部分を該溝の側面に沿って立たせ、前記両変位治具を交互に該溝上を前記固定治具の片面に沿って変位させることにより、前記絶縁材の該溝よりも突出した部分をそれぞれ折り曲げて、前記平角線を該絶縁材により覆うことを特徴とする平角線の製造装置。
【請求項５】
片側面に周囲が絶縁された磁性材を配置した状態で、前記平角線を該磁性材と共に前記絶縁材により覆う、請求項４に記載の平角線の製造装置。
【請求項６】
絶縁材により覆われた平角線の片側面に磁性材を配置した状態で、該平角線を該磁性材と共に更に絶縁材により覆う、請求項４に記載の平角線の製造装置。
【発明の詳細な説明】
【技術分野】
【０００１】
本発明は、例えば、回転電機用のステータ、及び、該ステータに組み込まれ、コイルの巻線（マグネットワイヤ）を構成する断面矩形の平角線の製造装置に係り、詳しくは、ステータコアのスロットの開口側に配置される平角線の絶縁を図り、更には、スロット開口部に磁性材を配置するものである。
【背景技術】
【０００２】
一般に、誘導モータ、直流モータ（ジェネレータを含む）等の回転電機は、産業用又は車輌用の動力源として広く用いられており、そのステータのコイルのレイアウトは、比出力が高い分布巻きが多用されている。近時、ハイブリット駆動車輌及び電気自動車に用いられるモータとして、出力／寸法要求等からスロットの占積率の高い平角線をマグネットワイヤとして用いることが提案されている。
【０００３】
また、モータのサイズ等によっては、ロータを構成する磁石とステータコアとの間の磁束密度がスロットの開口部で変動して渦電流が流れ、モータの効率を低下させる場合がある。このため、従来、ステータコアのスロット内にコイルを配置した状態で、各スロットの開口部に磁性材（磁性ウェッジ）を配置して、渦電流による損失を抑制していた（特許文献１ないし４参照）。
【先行技術文献】
【特許文献】
【０００４】
【特許文献１】特開平５−２１１７３９号公報
【特許文献２】特開平７−１２３６２２号公報
【特許文献３】特開平１０−２４３５９６号公報
【特許文献４】特開平７−２２７０５３号公報
【発明の概要】
【発明が解決しようとする課題】
【０００５】
しかしながら、従来、磁性材をスロットの開口部に配置することは難しく、該磁性材の配置不良が生じる可能性があった。即ち、上述したような渦電流による損失を防止するための磁性材は、例えば、鉄粉等の磁性材を薄い板状に固めたものを使用する。したがって、このような磁性材は剛性が低く、例えば、スロット内にコイルを配置した状態で磁性材を押し込む際に、磁性材に座屈等の変形が生じる可能性があった。また、このような板厚が小さい磁性材を、幅が狭いスロットの開口部に配置すること自体、容易ではない。また、磁性材の固定は、ワニスによる固着が一般的であるが、スロットにワニスを滴下含浸することは難しく、固着力が安定しにくかった。このような事情により、従来、磁性材の配置不良が生じる可能性があった。
【０００６】
また、ステータコアのスロットの開口側に配置したコイルと、該ステータコアのティースの先端或はステータコアと対向するロータとの間は、沿面距離が小さいため、絶縁する必要があるが、このような絶縁を有効に行える構造は、従来知られていなかった。特に、コイルとして占積率の高い平角線を使用した場合には、絶縁を十分に行う必要がある。
【０００７】
例えば、前述の特許文献１ないし４に記載された発明のように、絶縁材により覆った磁性材をスロットの開口部に配置したり、合成樹脂製の板材を配置して、コイルとロータ或はティースの先端との間を絶縁することが考えられるが、上述したような、磁性材をスロットの開口部に配置しにくいと言う問題が存在し、合成樹脂製の板材についても同様の問題が生じると考えられるため、好ましい構造とは言えない。また、スロットの開口部に磁性材等を配置するために、スロットの形状を該磁性材等を配置しない場合に比べて変更する必要があり、このような形状変更を行うために、スロットの開口部にある程度のスペースを確保する必要がある。このため、コイルとロータとの距離が大きくなって、モータ出力が減少することが避けられない。
【０００８】
そこで、本発明は、コイルを構成する平角線とロータ或はティースの先端との絶縁を十分に図れ、好ましくは、スロットの開口部に容易に磁性材を配置できるステータを提供すると共に、このような構成に適した平角線の製造装置を提供することを目的とするものである。
【課題を解決するための手段】
【０００９】
本発明は、それぞれが略円筒状の周面に開口するように径方向に形成されたスロット（５）を円周方向複数個所に有するステータコア（２）と、コイルの巻線を構成し、前記各スロット（５）内に、径方向に複数重ねた状態で配置される平角線（スロット導体部１１）と、を備えたステータ（１）において、
前記各平角線（１１）のうち、少なくとも前記各スロット（５）の最も開口側に位置する平角線（１１）が、その開口側側面に該平角線（１１）と絶縁した磁性材（１４）を配置した状態で、該磁性材（１４）と共に絶縁材（１３ａ）により覆われていることを特徴とするものである。
【００１０】
前記各スロット（５）の最も開口側に位置する平角線（１１）を含む平角線（１１）が、周囲を絶縁された前記磁性材（１４）と共に前記絶縁材（１３ａ）により覆われている。
【００１１】
前記各スロット（５）の最も開口側に位置する平角線（１１）を含む平角線（１１）が絶縁材に覆われ、該絶縁材に覆われた平角線（１１）が、前記磁性材（１４）と共に更に前記絶縁材（１３ａ）により覆われている。
【００１２】
また、本発明は、コイルの巻線を構成し、絶縁材（１３ａ）に覆われた平角線の製造装置において、
片面に前記平角線（スロット導体部１１）の幅に対応した幅を有する溝（１９）を形成した固定治具（１６）と、
該平角線（１１）を該溝（１９）内に押し込むための押し治具（１７）と、
前記固定治具（１６）の片面に沿って、前記溝（１９）の幅方向両側から該溝（１９）上を交互に通るように変位する１対の変位治具（１８ａ，１８ｂ）と、を備え、
絶縁材（１３ａ）を、前記固定治具（１６）の片面に前記溝（１９）を覆うように配置し、該絶縁材（１３ａ）の該溝（１９）と反対側に前記平角線（１１）を配置し、前記押し治具（１７）により該平角線（１１）を該溝（１９）内に押し込むと共に、前記絶縁材（１３ａ）の該平角線（１１）よりも幅方向両側に存在する部分を該溝（１９）の側面に沿って立たせ、前記両変位治具（１８ａ，１８ｂ）を交互に該溝（１９）上を前記固定治具（１６）の片面に沿って変位させることにより、前記絶縁材（１３ａ）の該溝（１９）よりも突出した部分をそれぞれ折り曲げて、前記平角線（１１）を該絶縁材（１３ａ）により覆うことを特徴とするものである。
【００１３】
片側面に周囲が絶縁された磁性材（１４）を配置した状態で、前記平角線（１１）を該磁性材（１４）と共に前記絶縁材（１３ａ）により覆う。
【００１４】
絶縁材により覆われた平角線（１１）の片側面に磁性材（１４）を配置した状態で、該平角線（１１）を該磁性材（１４）と共に更に絶縁材により覆う。
【００１５】
なお、上記カッコ内の符号は、図面と対照するためのものであるが、これにより各請求項の構成に何等影響を及ぼすものではない。
【発明の効果】
【００１６】
請求項１に係る本発明によると、スロットの開口側に配置される平角線を絶縁材により覆っているため、該平角線とロータ或はティースの先端との絶縁を十分に図れる。また、スロットに配置する前に開口側の平角線を絶縁材により覆えば、該平角線とロータ或はティースの先端との間の絶縁を、容易に行える。また、該平角線に予め磁性材を固定できるため、該磁性材の配置を容易且つ確実に行え、該磁性材の配置不良が生じることを防止できる。また、スロットの開口部に該磁性材を配置するために、該スロットの形状を該磁性材を配置しない場合に比べて変更する必要がない。このため、コイルとロータとの距離が大きくなることを防止でき、モータ出力が減少することが防止できる。
【００１７】
請求項２に係る本発明によると、予め、磁性材の周囲を絶縁しているため、該磁性材と平角線との絶縁を確実に行える。
【００１８】
請求項３に係る本発明によると、平角線を絶縁材により覆った後、更に磁性材を配置した状態で絶縁材により覆うため、磁性材に予め絶縁処理を施す必要がない。また、磁性材の配置も容易且つ確実に行え、該磁性材の配置不良が生じることを防止できる。
【００１９】
請求項４に係る本発明によると、平角線を絶縁材により覆う作業を容易に行える。また、絶縁材を平角線に沿って容易に折り曲げることができるため、該絶縁材に位置ずれやしわが生じる等の不良が生じにくい。
【００２０】
請求項５に係る本発明によると、平角線に周囲を絶縁された磁性材を配置した状態で絶縁材により覆う作業を容易に行える。また、絶縁材に位置ずれやしわが生じる等の不良が生じにくい。
【００２１】
請求項６に係る本発明によると、絶縁材により覆われた平角線に磁性材を配置した状態で、更に絶縁材により覆う作業を容易に行える。また、絶縁材に位置ずれやしわが生じる等の不良が生じにくい。
【図面の簡単な説明】
【００２２】
【図１】本発明により製造されるステータを示す斜視図。
【図２】そのコイル（Ｕ相）を示す斜視図。
【図３】本発明の実施の形態に係るステータを、スロット内にコイルを配置した状態で示す、拡大断面図。
【図４】本発明の実施の形態に係る平角線の製造装置を示す正面図。
【図５】図４のａ−ａ断面の一部を省略して示す図。
【図６】本発明の実施の形態に係る平角線の製造装置の押し治具を省略して示す平面図。
【図７】本発明の実施の形態に係る平角線の製造装置による製造工程の第一工程を示す、正面図、拡大図、及び、平角線と絶縁材との関係を示す模式図。
【図８】同じく第二工程を示す正面図、拡大図、及び、平角線と絶縁材との関係を示す模式図。
【図９】同じく第三工程を示す正面図、拡大図、及び、平角線と絶縁材との関係を示す模式図。
【図１０】同じく第四工程を示す正面図、拡大図、及び、平角線と絶縁材との関係を示す模式図。
【図１１】同じく第五工程を示す正面図、拡大図、及び、平角線と絶縁材との関係を示す模式図。
【図１２】同じく第六工程を示す正面図、拡大図、及び、平角線と絶縁材との関係を示す模式図。
【発明を実施するための形態】
【００２３】
本発明の実施の形態を図面に沿って説明する。まず、本発明により製造される対象となる回転電機（モータ、ジェネレータ等）のステータの１例について、図１及び図２に沿って説明する。本ステータ１は、ロータと共に電気モータ（ジェネレータを含む）を構成し、該電気モータは、電気自動車及びハイブリッド車輌の駆動源となる電気モータ（含むジェネレータ）、特にブラシレスＤＣモータに適用して好適である。ステータ１は、図１に示すように、多数の珪素鋼板の薄板を積層したステータコア２、及び、所定の素材であるマグネットワイヤ（導体、巻線）３を巻回したコイル４からなる。ステータコア２は、リング状からなり、内径側に開口するスロット５及びティース６が交互に多数形成されている。そして、所定ピッチ離れた２個のスロット５の間を分布巻きにて３相Ｕ，Ｖ，Ｗの各コイル４（４Ｕ，４Ｖ，４Ｗ）が巻かれている。
【００２４】
マグネットワイヤ３は、断面矩形状の平角線からなり、銅等からなる導体部の全周に絶縁樹脂等の絶縁被膜が形成されている。上記ワイヤ３からなる３相のコイル４Ｕ，４Ｖ，４Ｗは、同相のスロット５内においては、同相の複数本（例えば４本）のワイヤ３がステータコア２の径方向に並んで配置されており、かつステータコア２の軸方向Ｌの一端面７から突出した一端側コイルエンド部８においては、同相の複数本のワイヤ３がステータコア２の径方向（又は軸方向）に並んで配置され、ステータコア２の軸方向Ｌの他端面９から突出した他端側コイルエンド部１０においては、同相の複数本のワイヤ３がステータコア２の径方向内径側に屈曲すると共にステータコア２の径方向に並んで配置されている。
【００２５】
代表してＵ相のコイル４Ｕを示すと、コイル４Ｕは、図２に示すように、隣接する２個のスロット５，５を占めるように、２組４Ｕ１，４Ｕ２がセットとなって、隣接する２個のスロット５，５の近い方同士、遠い方同士が所定間隔隔てて連結するようかつ上記２組が交互に連結するように構成されている。各組のコイル４Ｕ１，４Ｕ２は、スロット５内に配置されるスロット導体部１１と、ステータコア２の一端面７から突出して、所定間隔隔てたスロット導体部１１を連結するように、周方向Ｍに延びる一端側コイルエンド部８と、ステータコア２の他端面９から突出して、所定間隔離れたスロット導体部１１と連結するように、内径方向Ｒ１に屈曲して周方向Ｍに延びる他端側コイルエンド部１０と、からなる。両コイルエンド部８，１０は、それぞれが軸方向Ｌ又は径方向Ｒに互に干渉することなく並ぶように、周方向に（例えばＹ）又は軸方向に（例えばＸ）複数に屈曲して（折り曲げて）いる。
【００２６】
図３は、上述のように、スロット５内にスロット導体部１１を配置した部分を詳しく示している。各スロット５は、略円筒状の内周面に開口するように径方向に形成されており、同図に示すように、それぞれのスロット５には、４本の平角線の一部であるスロット導体部１１を重ねて配置している。また、スロット５と各スロット導体部１１との間には、絶縁シート１２を配置し、各スロット導体部１１とスロット５との間を絶縁している。
【００２７】
本実施の形態の場合、前記絶縁シート１２に加えて、スロット５の最も開口側（最内径）に配置されるスロット導体部１１をシート状の絶縁材１３ａにより覆っている。このように最内径のスロット導体部１１を絶縁材１３ａにより覆うのは、ステータコア２内にロータを配置した状態で、該ロータ及びティース６の先端との沿面距離が最も近いためである。したがって、モータのサイズにより、最内径のスロット導体部１１よりも外径側に存在するスロット導体部１１のロータ等までの沿面距離も近くなる場合には、最内径側から複数のスロット導体部１１を絶縁材１３ａにより覆っても良い。
【００２８】
また、前記最内径のスロット導体部１１の開口側（内径側）側面には、シート状の絶縁材１３ｂにより周囲を覆った磁性材１４を配置している。該磁性材１４は、例えば、鉄粉等の磁性材を板状に固めたもの（鉄粉アモルファス等）で、ロータからの磁束がスロット導体部１１を通過することを抑えて、渦電流が発生することを防止するもので、磁性ウェッジと呼ばれる場合もある。
【００２９】
特に、本実施の形態の場合、前記絶縁材１３ｂにより覆われた磁性材１４を、最内径のスロット導体部１１の側面に配置した状態で、該磁性材１４と共にスロット導体部１１を前記絶縁材１３ａにより覆っている。即ち、該スロット導体部１１をスロット５に組み込む前に、スロット導体部１１の側面に絶縁材１３ｂにより覆われた磁性材１４を配置した状態で、絶縁材１３ａにより該スロット導体部１１及び磁性材１４を覆って、これら両部材１１、１４を一体として扱えるようにしている。
【００３０】
なお、磁性材１４は、上述のようにシート状の絶縁材１３ｂにより覆う以外に、例えば、絶縁材である板状の合成樹脂を周囲に貼り付ける等しても良い。また、予め、スロット導体部１１を絶縁材１３ａにより覆った状態で、磁性材１４を配置し、更に、絶縁材１３ａにより、該スロット導体部１１及び磁性材１４を覆うようにしても良い。
【００３１】
上述のように構成することにより、スロット５の最内径に配置されるスロット導体部１１と、ロータ或はティース６の先端との絶縁を十分に図れる。また、スロット５に配置する前に、最内径に配置されるスロット導体部１１を絶縁材１３ａにより覆っているため、該スロット導体部１１とロータ或はティース６の先端との間の絶縁を、容易に行える。即ち、スロット５にスロット導体部１１を配置した後に、合成樹脂製の板材等の絶縁材を配置することは、スロット５の幅が狭い点と、通常、該絶縁材の剛性が低い点とから難しい。これに対して本実施の形態の場合には、予め、絶縁材１３ａにより覆われたスロット導体部１１をスロット５内に配置するだけであるため、この作業は容易である。
【００３２】
また、本実施の形態によると、予め、スロット導体部１１に磁性材１４を固定できるため、スロット５内への磁性材１４の配置を容易且つ確実に行え、該磁性材１４の配置不良が生じることを防止できる。即ち、剛性の低い磁性材１４をスロット５の開口部に後から配置する場合には、該磁性材１４が座屈する等して配置不良が生じる可能性があるが、本実施の形態の場合には、このような不具合が生じることはない。また、このように磁性材１４をスロット導体部１１に確実に固定できるため、スロット５内に配置した後、ワニスにより固着させる場合でも、固着力を安定させることができる。また、本実施の形態の場合、スロット５の開口部に磁性材１４を配置するために、該スロット５の形状を該磁性材１４を配置しない場合に比べて変更する必要がない。このため、該スロット５内に配置したコイル４を構成するスロット導体部１１と、モータを構成するロータとの距離が、磁性材等を配置するためにスロット開口部の形状を変更した、前述の各特許文献に記載された構造のように、大きくなることを防止でき、モータ出力が減少することが防止できる。
【００３３】
なお、絶縁材１３ａによりスロット導体部１１を覆う部分は、少なくとも、スロット導体部１１の開口側の側面、更に、好ましくは幅方向の側面（図３の左右に存在する側面）が覆われていれば良く、必ずしも全体が覆われている必要はない。但し、スロット導体部１１への磁性材１４の固定を確実に行うと共に、絶縁性を確実に得るためには、全体を覆うことが好ましい。
【００３４】
次に、上述のように、スロット導体部１１を絶縁材１３ａにより覆う、平角線の製造装置について、図４ないし図１２により説明する。装置１５は、図４ないし図６に示すように、固定治具１６上に、押し治具１７と１対の変位治具１８ａ，１８ｂとを配置してなる。
【００３５】
このうちの固定治具１６は、片面（図４、５の上面）に、前記スロット導体部１１の幅（前述の図３の左右方向の幅）に対応した幅を有する溝１９を形成している。該溝１９は、前記スロット導体部１１の配設方向（図６の上下方向）にも開口している。このため、絶縁材１３ａにより覆うべきスロット導体部１１の長さに拘らず、該スロット導体部１１を前記溝１９に配置可能である。また、該溝１９の深さは、該スロット導体部１１の厚さに、絶縁材１３ａを２枚重ねた厚さを足し合わせた値と、ほぼ同じとしている。
【００３６】
また、前記押し治具１７は、前記固定治具１６上に前記溝１９との遠近動自在に配置されている。即ち、レバー２０を操作することにより、図４、５の上下方向に変位自在としている。また、前記押し治具１７の先端（図４、５の下端）には、前記スロット導体部１１の幅及び長さに対応した凸部２１を設けている。このような押し治具１７は、後述するように、前記スロット導体部１１を前記溝１９内に押し込むためのものである。なお、前記凸部２１の幅は、後述するように、絶縁材１３ａの幅方向両側部分を確実に立たせるために、該スロット導体部１１の幅よりも小さくすることが好ましい。
【００３７】
また、前記両変位治具１８ａ，１８ｂは、前記固定治具１６の片面上に、該片面に沿って前記溝１９の幅方向両側から該溝１９上を交互に通るように変位自在に配置されている。このために、それぞれの変位治具１８ａ，１８ｂを、ハンドル２２ａ，２２ｂの回転により、互いに遠近動自在に変位可能としている。このような変位機構は、例えば、ねじ機構等の周知の機構を使用可能である。
【００３８】
上述のように構成される装置１５により、スロット導体部１１に絶縁材１３ａを巻き付ける（覆う）作業について、図７ないし図１２により説明する。まず、図７に示すように、絶縁材１３ａを、前記固定治具１６の片面で前記両変位治具１８ａ，１８ｂ同士の間に、前記溝１９を覆うように配置する。この状態で、該溝１９の幅方向中央と、前記絶縁材１３ａの幅方向中央とをほぼ一致させる。なお、該絶縁材１３ａの長さは、巻き付けるスロット導体部１１の長さとし、幅は、該スロット導体部１１の周囲の長さよりも大きくしている。
【００３９】
そして、前記絶縁材１３ａの該溝１９と反対側（即ち、図７の上側）に、前記スロット導体部１１を配置する。この状態で、該スロット導体部１１と前記溝１９との幅方向の位相を一致させる。したがって、該スロット導体部１１は、前記絶縁材１３ａのほぼ中央に配置される。
【００４０】
次に、図８に示すように、前記押し治具１７を前記溝１９に近づける方向に移動させて（下降させて）、前記スロット導体部１１を該溝１９内に押し込むと共に、前記絶縁材１３ａの該スロット導体部１１よりも幅方向両側に存在する部分を該溝１９の側面に沿って立たせる。即ち、該スロット導体部１１は、前記絶縁材１３ａ上に載置されているため、該スロット導体部１１を前記溝１９内に押し込むことにより、該絶縁材１３ａの一部も該溝１９内に押し込まれる。この際、該絶縁材１３ａの前記スロット導体部１１の両側に存在する部分が、前記溝１９の側面に倣って折り曲げられ、該溝１９の側面と前記スロット導体部１１の側面との間に挟持されるように配置される。
【００４１】
次に、図９に示すように、前記押し治具１７を前記溝１９から遠ざかる方向に移動させて（上昇させて）、該押し治具１７を前記スロット導体部１１から、少なくとも次述する変位治具１８ａの厚さ（図９の高さ）分よりも多く退避させる。次いで、図１０に示すように、同図の左側の変位治具１８ａを、前記固定治具１６の片面に沿って同図の右側に前記溝１９上を通るように変位させる。そして、前記絶縁材１３ａの立ち上がった部分のうち、図１０の左側部分を折り曲げて、該立ち上がった部分により前記スロット導体部１１の同図の上面を覆う。
【００４２】
更に、図１１に示すように、同図の右側の変位治具１８ｂを、前記固定治具１６の片面に沿って同図の左側に前記溝１９上を通るように変位させると共に、前記左側の変位治具を１８ａを、該溝１９上から退避させるように、同図の左側に変位させる。そして、前記絶縁材１３ａの立ち上がった部分のうち、図１１の右側部分を折り曲げて、該立ち上がった部分により前記スロット導体部１１の上面を覆い、前述のように左側の変位治具１８ａにより折り曲げられた部分と重ねる。これにより、該スロット導体部１１が前記絶縁材１３ａにより覆われる。なお、図示の例の場合、右側の変位治具１８ｂ上に前記押し治具１７を固定しているため、該押し治具１７は該変位治具１８ｂと共に変位する。
【００４３】
更に、図１２に示すように、前記右側の変位治具１８ｂを、前記溝１９上から退避させるように、同図の右側に変位させる。そして、前記絶縁材１３ａにより覆われた前記スロット導体部１１を前記溝１９から取り外す。なお、前述の図３に示した構造と同様に、絶縁材１３ａの端部同士が重なり合うように折り曲げることが好ましく、この場合に、一方の端部に接着剤を塗布しておけば、上述の右側の変位治具１８ｂの変位により、絶縁材１３ａの端部が重なり合った部分で接着される。但し、絶縁材１３ａの接着方法は、これに限定されるものではなく、例えば、絶縁材１３ａの端部をスロット導体部１１に直接接着させても良いし、溝１９から取り外した後、絶縁材１３ａの端部同士が重なり合った部分に、熱を加えて溶着させても良い。
【００４４】
なお、上述の説明では、スロット導体部１１を絶縁材１３ａにより覆う構造について述べたが、上述した装置１５を使用して、スロット導体部１１と磁性材１４とを共に絶縁材１３ａにより覆うこともできる。なお、この場合、溝１９の深さを磁性材１４及び該磁性材１４とスロット導体部１１との絶縁部分を考慮した深さとする。
【００４５】
即ち、磁性材１４がすでに周囲を絶縁材１３ｂにより覆われている場合（図３参照）には、溝１９上に絶縁材１３ａを配置し、該絶縁材１３ａ上に、絶縁材１３ｂにより覆われた磁性材１４及びスロット導体部１１を、重ねて配置する。そして、押し治具１７により、該絶縁材１３ｂにより覆われた磁性材１４及びスロット導体部１１を、前記溝１９内に押し込む。その後、上述の説明と同様に、両変位治具１８ａ，１８ｂにより絶縁材１３ａを折り曲げて、前記磁性材１４及びスロット導体部１１を該絶縁材１３ａにより覆う。
【００４６】
一方、磁性材１４を絶縁材により覆っていない場合には、溝１９上に配置された絶縁材上に、磁性材１４と絶縁材１３ａにより覆われたスロット導体部１１とを配置し、同様に、該磁性材１４と絶縁材１３ａにより覆われたスロット導体部１１とを、更に絶縁材により覆う。
【００４７】
なお、上述の押し治具１７及び両変位治具１８ａ，１８ｂの操作は、レバー２０及びハンドル２２ａ，２２ｂに変えて、アクチュエータにより行っても良い。この場合に、絶縁材１３ａ及びスロット導体部１１、更には磁性材１４の配置及び作業後の取り外しを自動で行えば、全工程を自動で行うことも可能になる。
【００４８】
上述のような装置１５によると、スロット導体部１１単体、或は、磁性材１４を含めて絶縁材１３ａにより覆う作業を容易に行える。即ち、絶縁材１３ａをスロット導体部１１の周囲に沿って折り曲げる作業を、該スロット導体部１１（更には磁性材１４）を溝１９に押し込む工程と、両変位治具１８ａ，１８ｂを変位させる工程だけで、容易且つ確実に行える。また、このように、絶縁材１３ａをスロット導体部１１に沿って折り曲げるため、折り曲げ作業の際に、前記絶縁材１３ａに位置ずれやしわが生じにくく、製品不良が生じにくい。
【００４９】
一方、上述のように絶縁材１３ａをスロット導体部１１に巻き付ける作業を手作業で行った場合、該絶縁材１３ａに位置ずれが生じ易い上に、しわが生じる可能性がある。そして、このような位置ずれやしわが生じた場合、スロット５内への挿入時に前記絶縁材１３ａが破れてしまう可能性がある。これに対して本実施の形態の装置１５により製造した場合、上述のような不具合が生じにくいため、スロット５内への挿入時に絶縁材１３ａが破れることはない。
【符号の説明】
【００５０】
１      ステータ
２      ステータコア
３      マグネットワイヤ
４      コイル
５      スロット
６      ティース
７      一端面
８      一端側コイルエンド部
９      他端面
１０    他端側コイルエンド部
１１    スロット導体部
１２    絶縁シート
１３ａ，１３ｂ    絶縁材
１４    磁性材
１５    装置
１６    固定治具
１７    押し治具
１８ａ、１８ｂ    変位治具
１９    溝
２０    レバー
２１    凸部
２２ａ，２２ｂ    ハンドル
【図１】
2010226861.tif 000003
【図２】
2010226861.tif 000004
【図３】
2010226861.tif 000005
【図４】
2010226861.tif 000006
【図５】
2010226861.tif 000007
【図６】
2010226861.tif 000008
【図７】
2010226861.tif 000009
【図８】
2010226861.tif 000010
【図９】
2010226861.tif 000011
【図１０】
2010226861.tif 000012
【図１１】
2010226861.tif 000013
【図１２】
2010226861.tif 000014